(57)【要約】  たとえばＰＣまたはＴＶ装置などのオーディオ／ビデオレンダリング装置（ＡＶＤ）上で、レンダリング装置に既に表示された第２のマルチメディアデータ、たとえばオーディオ／ビデオ番組の第２の量に応じて規定される、第１のマルチメディアデータ、たとえば広告の所定の割り当て分の第１の量の表示を制御する方法。広告の場合、第１の量は、レンダリング装置で受信された第１のチャンネルに既に表示された番組の第２の量への資金提供に関する。次いで、本方法の適用の目的は、再生された広告に応じてスポンサー料を広告主から集め、反対に、事実上視聴された各番組のタイミングに応じてチャンネルの返報を確実に得ることである。この方法のために、番組が完全に視聴される前、かつ広告の関連する第１の量が第１のチャンネルに完全に表示される前に、ＴＶ装置のユーザが第２のチャンネルに切り替えたときであっても、第１のマルチメディアデータの第１の量が表示されるか、または視聴された番組の資金提供が実現される。この目的のために、第１のマルチメディアデータの第１の量が第１のチャンネルに完全に表示される前に、レンダリング装置のユーザが第１のチャンネルから第２のチャンネルに切り替えたとき、方法は、第１のチャンネルに既に表示された第１のマルチメディアデータの量を求めるステップと、この第１の量の表示を実現するために、まだ表示されていない第１のマルチメディアデータの欠落している量、すなわち、まだ表示されていない関連広告の欠けている割り当て分を、番組の既に視聴された量の資金提供を完了するために計算するステップと、第２のチャンネルにおける第１のマルチメディアデータ（広告）の上記の欠落している量の表示を制御するステップとを含む。
2015516737.tif 000002
【特許請求の範囲】
【請求項１】
オーディオ／ビデオレンダリング装置（ＡＶＤ）上で第１のマルチメディアデータの第１の量の表示を制御する方法であって、前記第１の量が、前記オーディオ／ビデオレンダリング装置で受信されている所定のチャンネルで既に表示された第２のマルチメディアデータの第２の量に応じて規定される、方法において、
第１のマルチメディアデータの前記第１の量が前記所定のチャンネルに完全に表示される前に、前記オーディオ／ビデオレンダリング装置（ＡＶＤ）のユーザが、前記所定のチャンネルの表示から、前記オーディオ／ビデオレンダリング装置で受信された第２のチャンネルの表示に切り替えたとき、前記方法が、
前記所定のチャンネルに既に表示された第１のマルチメディアデータの表示された量を求めるステップと、
第１のマルチメディアデータの前記第１の量の表示を実現するために、まだ表示されていない第１のマルチメディアデータの欠落している量を計算するステップと、
前記オーディオ／ビデオレンダリング装置で受信された前記第２のチャンネルにおける第１のマルチメディアデータの前記欠落している量の表示を制御するステップと
を含むことを特徴とする、方法。
【請求項２】
第１のマルチメディアデータの前記欠落している量が、第１のマルチメディアデータの前記第１の量と、第１のマルチメディアデータの前記表示された量との差に等しいことを特徴とする、請求項１に記載の方法。
【請求項３】
前記第１のマルチメディアデータが第１のタイプであり、前記第２のマルチメディアデータが第２のタイプであり、前記第１のタイプが前記第２のタイプに関連していることを特徴とする、請求項１に記載の方法。
【請求項４】
前記第１のタイプの前記第１のマルチメディアデータが、前記オーディオ／ビデオレンダリング装置（ＡＶＤ）のユーザのプロフィールに関連づけられていることを特徴とする、請求項３に記載の方法。
【請求項５】
第１のマルチメディアデータの前記欠落している量が、前記第１のタイプの前記第１のマルチメディアデータに従って、前記第２のチャンネルへの表示が妨げられてもよいことを特徴とする、請求項１に記載の方法。
【請求項６】
前記オーディオ／ビデオレンダリング装置（ＡＶＤ）のユーザが、前記オーディオ／ビデオレンダリング装置で受信された第３のチャンネルの表示に切り替えたとき、前記第２のチャンネルへの表示が妨げられた第１のマルチメディアデータの欠落している量が前記第３のチャンネルに表示されることを特徴とする、請求項５に記載の方法。
【請求項７】
前記第３のチャンネルが、前記オーディオ／ビデオレンダリング装置（ＡＶＤ）で受信された前記所定のチャンネルであることを特徴とする、請求項６に記載の方法。
【請求項８】
前記第１のマルチメディアデータの各第１のタイプが所定の重みを有し、
前記第１の量が前記第１のマルチメディアデータの所定の重みによって影響されることを特徴とする、請求項３に記載の方法。
【請求項９】
前記第１のマルチメディアデータが少なくとも１つの第１のマルチメディアデータサーバによって提供されることを特徴とする、請求項１に記載の方法。
【請求項１０】
前記第２のマルチメディアデータの表示が、第１のマルチメディアデータを表示するために、少なくとも１つの所定の時間の間中断され、
前記第２のチャンネルの表示が、第１のマルチメディアデータを表示するために、少なくとも別の所定の時間の間中断されることを特徴とする、請求項１に記載の方法。
【請求項１１】
前記第１のマルチメディアデータの前記第１のタイプが、前記オーディオ／ビデオレンダリング装置（ＡＶＤ）で受信されるように構成された少なくとも１つの他のチャンネルで提供される第３のマルチメディアデータの第３のタイプに関し、前記他のチャンネルが、前記所定のチャンネルおよび前記第２のチャンネルとは異なることを特徴とする、請求項２に記載の方法。
【請求項１２】
前記オーディオ／ビデオレンダリング装置（ＡＶＤ）が、ＴＶ、ＰＣ、タブレット、ネットブック、スマートフォン、「セットトップボックス」または任意の他のオーディオ／ビデオレンダリング対応装置であることを特徴とする、請求項１に記載の方法。
【発明の詳細な説明】
【技術分野】
【０００１】
本発明は、オーディオ／ビデオレンダリング装置上で第１のマルチメディアデータの第１の量の表示を制御する方法に関し、前記第１の量は、前記オーディオ／ビデオレンダリング装置で受信されている所定のチャンネルで既に表示された第２のマルチメディアデータの第２の量に応じて規定される。
【０００２】
言い換えれば、第２のマルチメディアデータの第２の量が既にオーディオ／ビデオレンダリング装置に表示されていれば、第１のマルチメディアデータの第１の量もまた、このオーディオ／ビデオレンダリング装置に表示されているはずである。この第１の量は、第２の量に応じたものであるか、またはそれに関連、たとえば比例しており、本方法の目的は、第２および関連する第１の量がオーディオ／ビデオレンダリング装置に表示されていることを制御することである。
【０００３】
本方法は、限定するわけではないが、特に、第１のマルチメディアデータとしての広告に適用可能であり、第１のマルチメディアデータのうちの表示される第１の量は、オーディオ／ビデオレンダリング装置に既に表示された、第２のマルチメディアデータとしてのオーディオ／ビデオ番組の第２の量に応じて規定される。広告は番組に資金提供する必要があり、第１のマルチメディアデータのタイプ、すなわち広告のタイプは、好ましくは、第２のマルチメディアデータのタイプ、すなわちオーディオ／ビデオ番組のタイプに関連する。
【０００４】
本方法は同様に、ＴＶで第１のマルチメディアデータとしての娯楽を視聴する子どもに対するペアレンタルコントロールに適用可能である。この場合、表示される第１のマルチメディアデータの割り当て分または量は、第２のマルチメディアデータとしての視聴される教育番組の量に応じたものであるか、またはそれに関連する。結果として、第１のマルチメディアデータとしての娯楽番組（たとえばアニメ）を視聴できるようになるために、子どもは、第２のマルチメディアデータとしての関連する量の教育番組を視聴しなければならなくなる。
【背景技術】
【０００５】
歴史的に、消費者市場は、過去のアナログＴＶ放送からデジタルＴＶ放送、デジタルケーブルＴＶおよびＩＰＴＶに移行しているだけでなく、インターネットを介したＴＶ「オーバーザトップ」にもますます移行しつつある。
【０００６】
過去のアナログＴＶまたはタイムシフトまたは家庭用録画のないデジタルＴＶ放送では、広告または「アド（ａｄ）」を避けるためにユーザがチャンネルを変えることが常に可能であり、アナログＴＶにおいて広告スキップを防ぐための満足な技術的解決策が存在しないため、これは検出も防止もされ得ない。
【０００７】
新たなデジタル解決策ではしばしば、広告を早送りすることができるためにユーザが任意の番組広告の視聴を避けるのが一層容易になる、利用可能なタイムシフトＴＶおよび／または家庭用もしくはネットワークに接続されたデジタルビデオレコーダ機能が存在する。
【０００８】
タイムシフトＴＶに関しては、タイムシフト機能は（ほぼ）制約のない時間ずらし機能と認識されるため、広告があるときに早送りボタンを無効にするのは不自然なこととなる。
【０００９】
同様に、ユーザが家庭用デジタルビデオレコーダからコンテンツを閲覧するとき、装置は、過去のアナログＶＨＳビデオレコーダ（ＶＣＲとも呼ばれる）に似たものとして認識されるため、早送りボタンは、番組の広告全体をスキップすることを完全に自由にするものとして認識される。
【００１０】
現時点で、タイムシフトまたは録画のないアナログまたはデジタルＴＶ放送では、広告の視聴を避けるためにユーザがチャンネルを切り替えることを防ぐ技術的解決策はない。
【００１１】
広告をユーザに強制するために広告提供業者が使用する唯一の次善策は、広告の視聴を避けるためにチャンネルを切り替えるユーザが他のチャンネルでもその広告を視聴することになるように、提供業者の広告をおおよそ同時に異なるチャンネルで表示されるように組み込もうとすることである。しかし、これは番組の長さが異なるときにはあまりうまくいかず、さらには現在閲覧されているチャンネルはそのユーザを失い、それによって潜在的な広告収入を失う（もっともこの喪失は統計的にのみ計測可能なものである）。
【００１２】
この解決策はまた、チャンネル間の現行の競争ルールを危うくしている。このルールでは、各チャンネルは広告再生時間に基づくのではなくコンテンツ編成に基づいて互いに競争し、このチャンネル間競争は番組編成にも基づく。
【００１３】
同様に、タイムシフト機能を有するデジタル放送または家庭用デジタルビデオレコーダの場合、タイムシフト機能または家庭用デジタルビデオレコーダのいずれも、広告を含む、番組の任意の部分をユーザが容易にスキップできるようにする早送り機能を提供しており、したがって、広告再生中に早送りボタンを無効にするのは困難なはずなので、ユーザに広告を閲覧させる満足な技術的解決策はない。
【００１４】
結果として、オーバーザトップの解決策またはデジタルＴＶの解決策において、ユーザによって閲覧される広告はますます少なくなっている。
【００１５】
デジタルＴＶ体験においてさえも広告の強要は困難であるものの、広告は番組に資金提供する必要がある。
【００１６】
言い換えれば、各所定のチャンネルで再生される番組への資金提供を確実に得るために、好ましくは番組に関連している広告の所定の割り当て分は、そのチャンネルで再生されなければならない。
【００１７】
デジタルＴＶ、ＩＰＴＶ、ならびにオーバーザトップＴＶおよびビデオにおける広告に関して、ユーザは、広告をスキップし、広告の視聴を避けるために、チャンネルまたはユーザのトリックプレイコマンドを変えることができる場合もある。こうした中では、各所定のチャンネルは、ユーザの広告閲覧を制御する能力を失う。
【００１８】
結果として所定のチャンネルは、この機能の制御を失うので、十分な関連広告の再生による番組への資金提供を確実に得ることができなくなる。
【００１９】
広告が視聴されることを保証するために、たとえば、「Ａｐｐａｒａｔｕｓ  ａｎｄ  ａ  ｍｅｔｈｏｄ  ｆｏｒ  ｐｒｅｖｅｎｔｉｎｇ  ｃｏｍｍｅｒｃｉａｌ  ｓｋｉｐｐｉｎｇ」と題し、２００２年１２月１９日に公開された、ＷＡＮＧ  Ｘｉａｏｌｉｎｇの米国特許出願公開第２００２／０１９１９５０Ａ１号などの方法が役立ち得る。この特許出願には、映像信号に関連づけられたコンテンツ分類信号に基づいてビデオ録画再生装置のすべての手動および自動のスキップ機能を有効にすることも無効にすることもできるシステム、装置、および方法が開示されている。コンテンツ分類信号は、映像信号の特定の部分にあるのが商業コンテンツであるか、それとも非商業コンテンツであるかをそれぞれが示す複数の部分で成り立っていてもよい。手動および自動のスキップ機能は、ビデオコンテンツ表示を伴う早送りと伴わない早送り、異なる速度の早送り、速度を変えられる早送り、少なくとも１つのプリセットされたスキップ時間または長さ間隔をもつワンボタンスキップ機能、および自動または手動で設定されたあるエンドポイントのみにスキップするスマートスキップ機能を可能にするすべての機能を含んでいてもよい。この知られている特許出願によるシステムおよび方法はまた、テレビジョンチャンネル識別子、テレビジョン番組識別子、テレビジョン番組クラス識別子、日付および時間識別子、ならびに加入関連情報などの管理パラメータの組に基づいて、スキップ機能を選択的に有効または無効にする柔軟な可能性をもたらす。さらに、この知られている特許出願によるシステムおよび方法は、映像／コンテンツ分類信号を作り出すために、映像信号に関連づけられたコンテンツ記述ファイルに、ユーザが定義可能なコンテンツ分類信号を提供する。
【００２０】
これは、オーディオ／ビデオレンダリング装置のユーザによる広告の表示を制御する方法とみなされてもよい。広告は、所定の広告時間枠または再生時間の間、装置で再生されなければならない。広告は、すべての広告の再生継続時間が広告再生時間を超過するように、多めに提供される。次にユーザは、広告をスキップして次の広告に行くことが可能になり、それによってある種の自由度が加わり、フラストレーションが低下することになる。
【先行技術文献】
【特許文献】
【００２１】
【特許文献１】米国特許出願公開第２００２／０１９１９５０Ａ１号明細書
【発明の概要】
【発明が解決しようとする課題】
【００２２】
本発明の目的は、第２のマルチメディアデータの第２の量がオーディオ／ビデオレンダリング装置に表示されたとき、関連する第１のマルチメディアデータの第１の量もこのオーディオ／ビデオレンダリング装置にいずれにしても表示されることを保証する方法を提供することである。これは、第１のマルチメディアデータとしての広告の場合、ユーザによって視聴される広告の割り当て分が、関連する表示された番組、すなわち第２のマルチメディアデータの量に資金提供するのに十分であるべきことを意味する。
【課題を解決するための手段】
【００２３】
本発明の特徴的な実施形態によれば、この目的は、第１のマルチメディアデータの前記第１の量が前記所定のチャンネルに完全に表示される前に、前記オーディオ／ビデオレンダリング装置のユーザが、前記所定のチャンネルの表示から、前記オーディオ／ビデオレンダリング装置で受信された第２のチャンネルの表示に切り替えたとき、前記方法が以下のステップ
−  前記所定のチャンネルに既に表示された第１のマルチメディアデータの表示された量を求めるステップと、
−  第１のマルチメディアデータの前記第１の量の表示を実現するために、まだ表示されていない第１のマルチメディアデータの欠落している量を計算するステップと、
−  前記オーディオ／ビデオレンダリング装置で受信された前記第２のチャンネルにおける第１のマルチメディアデータの前記欠落している量の表示を制御するステップと
を含むことによって実現される。
【００２４】
このように、全体がオーディオ／ビデオレンダリング装置に表示された第１のマルチメディアデータの第１の量、たとえば広告の割り当て分は、すなわち、たとえユーザが第２のチャンネルに切り替えても、第２のマルチメディアデータの第２の量、たとえばこの装置で視聴された番組の量に対応し、より具体的には、再生された番組の要求する資金提供に対応する。言い換えれば、第１のマルチメディアデータの表示制御、または第２のマルチメディアデータ、または再生された番組についての広告再生制御は、各チャンネル全体にわたって包括的に処理される。
【００２５】
前記オーディオ／ビデオレンダリング装置は、ＴＶ、ＰＣ、タブレット、ネットブック、スマートフォン、「セットトップボックス」または任意の他のオーディオ／ビデオレンダリング対応装置であってもよいことに留意されたい。
【００２６】
本発明の好ましい特徴的な実施形態では、第１のマルチメディアデータの前記欠落している量は、第１のマルチメディアデータの前記第１の量と第１のマルチメディアデータの前記表示された量との差に等しい。
【００２７】
これによって、事実上再生された広告と事実上視聴された番組に従う広告再生番組資金提供およびチャンネル返報が保証される。
【００２８】
本発明の別の好ましい特徴的な実施形態では、前記第１のマルチメディアデータの前記第１のタイプが、前記オーディオ／ビデオレンダリング装置のユーザのプロフィールに関連づけられている。
【００２９】
本発明のさらに別の特徴的な実施形態は、第１のマルチメディアデータの前記欠落している量が、前記第１のマルチメディアデータの前記第１のタイプに従って、前記第２のチャンネルへの表示が妨げられてもよいことである。
【００３０】
各チャンネルは、第１のマルチメディアデータのタイプと、第２のチャンネルに表示されたマルチメディアデータのタイプとの、またはある種の広告と番組との不適合性を特定することができる。この特徴のために、第１のマルチメディアデータの特定のタイプ、たとえば不快な広告は番組編成の中に表示されなくてもよく、次いで第２のチャンネルに表示され、より感受性の強い人々に向けられてもよい。
【００３１】
本発明のまた別の特徴的な実施形態は、前記オーディオ／ビデオレンダリング装置のユーザが、前記オーディオ／ビデオレンダリング装置で受信された第３のチャンネルの表示に切り替えたとき、前記第２のチャンネルへの表示が妨げられた第１のマルチメディアデータの欠落している量が前記第３のチャンネルに表示されることである。
【００３２】
このように、欠けている関連広告はいずれにしても表示される。この場合、第２のチャンネルではなく第３のチャンネルに、である。
【００３３】
本発明のさらに別の特徴的な実施形態は、前記第１のマルチメディアデータの各第１のタイプが所定の重みを有し、前記第１の量が前記第１のマルチメディアデータの所定の重みによって影響されることである。
【００３４】
このように、関連広告の再生時間、より具体的には、欠けている関連広告の継続時間は、広告のそれぞれに関連づけられた重みまたは割り当て分の値に応じて異なっていてもよい。
【００３５】
本方法のさらに特徴的な実施形態は添付の特許請求の範囲に言及されている。
【００３６】
特許請求の範囲で使用される用語「含む（ｃｏｍｐｒｉｓｉｎｇ）」または「有する（ｉｎｃｌｕｄｉｎｇ）」は、以下に挙げる意味に限定されるものとして解釈されるべきではないことに注意されたい。したがって、「手段ＡおよびＢを含む装置」などの表現の範囲は、手段ＡおよびＢのみからなる装置の一実施形態に限定すべきではない。その範囲は、本発明の実施形態に関して、ＡおよびＢが装置の必須の手段であることを意味する。
【００３７】
同様に、やはり特許請求の範囲で使用される用語「結合された」は、直接的な接続のみに限定されるものとして解釈されるべきではないことに注意されたい。したがって、「装置Ｂに結合された装置Ａ」などの表現の範囲は、装置Ａの出力部が装置Ｂの入力部に直接的に接続されている装置の実施形態に限定すべきではない。その範囲は、Ａの出力部とＢの入力部の間に経路が存在していてもよいことを意味し、この経路は他の装置または手段を含んでいてもよい。
【００３８】
図が本方法の種々のステップを示す添付の図面と併せた一実施形態の以下の説明を参照することによって、本発明の上記および他の目的ならびに特徴はより明らかになり、本発明自体が極めて深く理解されることになる。
【図面の簡単な説明】
【００３９】
【図１】本発明の方法の種々のステップを示す図である。
【発明を実施するための形態】
【００４０】
本発明の方法は、オーディオ／ビデオまたはビデオ再生レンダリング装置ＡＶＤにおいて、第１のマルチメディアデータの表示を制御し、第１のマルチメディアデータは、この例では、限定はしないが好ましくは広告である。表示された第１のマルチメディアデータの量は、レンダリング装置で受信されたチャンネルに既に表示された第２のマルチメディアデータの量、好ましくはオーディオ／ビデオ番組について制御される。
【００４１】
本方法は同様に、ＴＶで娯楽を視聴する子どもに対するペアレンタルコントロールに適用可能されることに留意されたい。この場合、表示される第１のマルチメディアデータの割り当て分または量は教育番組に関連する。したがって、娯楽番組（たとえばアニメ）を視聴できるようになるために、子どもは、第２のマルチメディアデータとしての関連する量の教育番組を視聴しなければならなくなる。
【００４２】
ＴＶ装置、ＰＣ、タブレット、ネットブック、スマートフォン、「セットトップボックス」または任意の他のオーディオ／ビデオレンダリング対応装置であってもよいオーディオ／ビデオまたはビデオ再生レンダリング装置ＡＶＤで、第１のタイプの第１のマルチメディアデータとしての広告を再生するには、第２のタイプの第２のマルチメディアデータとしての番組に資金提供することが必要とされる。言い換えれば、広告の場合、目的は、再生された広告に応じてスポンサー料を広告主から集め、反対に、各所定のチャンネルから事実上視聴された各番組のタイミングに応じて各所定のチャンネルの返報を確実に得ることである。
【００４３】
なお、「チャンネル」という語は、たとえば、ＴＶ放送局（一般に「ＴＶチャンネル」と呼ばれる）またはインターネットを介した「オーバーザトップ」ＯＴＴサービス提供業者などのサービス提供業者ＳＰによって提供される番組の組として広い意味で理解されなければならないことに留意されたい。サービス提供業者ＳＰは、ケーブルまたはＤＳＬまたは他の手段によって、リアルタイムで連続的な番組の形態またはタイムシフト提供もしくはオンデマンド提供で番組をユーザに提供してもよい。ＴＶ放送局の場合、番組はデジタルＴＶもしくはＩＰＴＶまたはインターネットなどのインフラストラクチャによって送信され、ＯＴＴサービス提供業者の場合、番組はインターネットを介して送信される。
【００４４】
以下の説明は、具体的にはオーディオ／ビデオレンダリング装置としてのＴＶ装置ＡＶＤに関するが、説明は任意の他の種類のオーディオ／ビデオレンダリング対応装置に適用可能である。ＴＶ装置ＡＶＤには、制御信号を遠隔制御ユニットＲＣＵから受信し、トリックプレイコマンド分析装置ＴＰＣＡに結合されている遠隔制御ユニットコマンド受信機ＲＣＵＣＲが備えられており、ＴＰＣＡは、最終的にトリックプレイコマンドを一般に制御ユニットＲＣＵから受信し、そのようなトリックプレイコマンドに反応する役割を担う。
【００４５】
ＴＶ装置ＡＶＤで受信されている所定のチャンネルに表示された各番組に対応するのは、その番組の資金提供に関連する広告の所定の割り当て分または量である。一般に、番組の表示は、関連広告を表示するために、少なくとも１つの所定の時間の間中断され、したがって、広告の所定の割り当て分または量は番組が終わるときに表示される。
【００４６】
ただし、番組がまだ完全に視聴されていないうちに、ＴＶ装置のユーザが別のチャンネルに切り替えたとき、既に表示された番組に対応する量の広告は完全に表示されなくてもよい。次いで、番組の視聴された部分は完全には資金提供されない。
【００４７】
本方法の基本的思想は、個々のユーザに対する広告再生制御に関し、また、広告再生量の方法に基づいて、広告再生を各チャンネル全体にわたって包括的に処理することである。
【００４８】
本方法において、各所定のチャンネルは、その番組のそれぞれについて広告再生の要求される量を示し、その個々の番組のそれぞれの中またはその隣での再生が予想されるか、または可能になる広告のタイプを特定することもできる。
【００４９】
要求される量または割り当て分は、１つまたは複数の広告サーバによって提供された表示されるべき広告を含むチャンネルＡｄ再生要求データベースＣＡＰＲを制御するチャンネルＡｄ再生割り当て分要求機能ＣＡＰＱＲによって提供される。
【００５０】
図に示した異なる機能的モジュールは、いくつかの機能的モジュールを１つにまとめられるか、またはある種の機能的モジュールをサブモジュールに分割できるように具体的な実装を強要するものではないことに留意されたい。また、機能的モジュールは、ネットワーク、ＩＳＰドメイン、クラウド、顧客の敷地内におけるインフラストラクチャに配備されてもよく、２つ以上の場所に配備されてもよい。
【００５１】
ユーザによって事実上視聴された番組または第２のマルチメディアデータの部分と、その番組に関連する閲覧された広告または第１のマルチメディアデータの割り当て分、一般に継続時間、とを一致させるために、本方法は以下を含む：
−  第１または所定のチャンネルに既に表示された第１のマルチメディアデータまたは広告の量を求めるステップ、
−  ユーザが第２のチャンネルに切り替えたとき、番組の既に視聴された量または既に表示された第２のマルチメディアデータの資金提供を完了するために、まだ表示されていない広告の欠落している量を計算するステップ、および
−  第２のチャンネルにおける広告の欠落している量の表示を制御するステップ。
【００５２】
既に視聴された番組の量は、トリックプレイコマンド分析装置ＴＰＣＡに結合され、そこから情報を受け取るＡｄ閲覧および番組閲覧行動分析装置ＡＰＶＢＡによって求められる。
【００５３】
この情報によって、Ａｄ閲覧および番組閲覧行動分析装置ＡＰＶＢＡに結合されたＡｄ再生効果測定装置ＡＰＥＭは、要求される関連広告の第２の量だけでなく既に表示された関連広告の第３の量を求めることができる。要求される関連広告の第２の量は、番組の既に視聴された量の資金提供に対応する。ユーザのチャンネル切り替え時、欠けている関連広告の欠落している量は第２と第３の量の差に等しい。欠けている関連広告に関する情報は、Ａｄ再生効果測定装置ＡＰＥＭからＡｄ閲覧および番組閲覧行動分析装置ＡＰＶＢＡへの制御のために送信される。
【００５４】
最後に、欠けている関連広告は、ユーザが切り替えた第２のチャンネルに表示される。
【００５５】
チャンネルＡｄ再生要求データベースＣＡＰＲに格納された広告は、Ａｄ閲覧および番組閲覧行動分析装置ＡＰＶＢＡならびにトリックプレイコマンド分析装置ＴＰＣＡによって制御される広告再生番組編成およびスケジューラ機能ＡＰＰＳにより選択され、ＴＶ装置ＡＶＤに送信されることに留意されたい。
【００５６】
好ましい実施形態において、各関連広告、ひいては欠けている関連広告のそれぞれは、個別の所定のタイプを有する。結果的に、それらの所定のタイプのために、欠けている関連広告の一部は第２のチャンネルへの表示が妨げられてもよい。
【００５７】
さらに、各所定のチャンネルは、チャンネルＡｄ再生割り当て分要求機能ＣＡＰＱＲによって、その番組のそれぞれについて広告再生の要求される量を示し、その個々の番組のそれぞれの中での再生が予想されるか、または可能になる広告のタイプを特定することもできる。しかしながら、各（第２の）チャンネルはまた、不快な広告がより感受性の強い人々に向けられた番組編成の中で再生されないように、ある種の広告と番組との不適合性を特定することもできる。
【００５８】
次いで、第２のチャンネルへの表示が妨げられた欠けている関連広告は、ユーザが第２から第３のチャンネルに切り替えたときに、ＴＶ装置ＡＶＤで受信された第３のチャンネルに表示されてもよい。場合によっては、この第３のチャンネルは、ＴＶ装置ＡＶＤで受信された第１の所定のチャンネルであってもよい。
【００５９】
チャンネルは、テレビ番組広告などのそれら自身の番組についての広告を提供することができ、他のチャンネルに表示させるためにそれらを広告サーバに供給することができることに留意されたい。この場合、関連広告の所定の割り当て分または量は、第１の所定のチャンネルとは異なる少なくとも１つの他のチャンネルで提供される番組に関連する広告を含み得る。これらの広告は、おそらくは各チャンネル全体でも再生できる。これは、あるチャンネルのある種の番組の広告を、他のチャンネルにおける類似の番組内で行うのに好都合であり得る。
【００６０】
本方法の一実施形態において、関連広告のタイプは、ユーザのプロフィールに、またはいくらかのユーザのプロフィールに関連づけられていてもよい。
【００６１】
この場合、Ａｄ閲覧および番組閲覧行動分析装置ＡＰＶＢＡに結合されたユーザ存在検出機能ＵＰＤＦは、いずれのユーザが現在ＴＶ装置ＡＶＤを視聴しているのかを検出および識別する。Ａｄ閲覧および番組閲覧行動分析装置ＡＰＶＢＡによって制御されるさらなるユーザプロフィール合成機能ＵＰＣＦは、主として、たとえば、そのユーザのトリックプレイコマンドについての行動によるユーザプロフィールを構築する。
【００６２】
すべてのユーザプロフィールは、Ａｄ閲覧および番組閲覧行動分析装置ＡＰＶＢＡ、ユーザプロフィール合成機能ＵＰＣＦおよびユーザ存在検出機能ＵＰＤＦに結合されたユーザＡｄ再生プロフィールデータベースＵＡＰＰに格納される。
【００６３】
次いで広告再生番組編成およびスケジューラ機能ＡＰＰＳは、ユーザ存在検出機能ＵＰＤＦによって、その選択および広告のＴＶ装置ＡＶＤへの送信が制御される。
【００６４】
本実施形態において、広告プロフィールおよび要求は、ユーザプロフィールおよびＴＶチャンネル広告要求の両方から来るものであり、組み合わされて、あるユーザへの単一の広告番組編成になる。この組み合わせは、ある番組内の、またあるユーザへの最適な広告再生および広告関連を提供する。
【００６５】
したがって、ユーザに関連する広告再生制御方法は、ユーザの切り替え行動およびＴＶ視聴傾向にもかかわらず、番組資金提供および広告再生を保証するために、チャンネル全体にわたって個人のユーザへのすべての広告を包括的に処理する。
【００６６】
関連広告の上記の所定の割り当て分は、関連広告の所定の量を反映しており、一般に、関連づけられた番組に資金提供するために関連広告が表示されなければならない継続時間として計測される。
【００６７】
しかしながら、好ましい実施形態において、所定の量の各関連広告は、個別の割り当て分の値または重みを有していてもよい。次いで関連広告の割り当て分の値の合計は、実現する所定の割り当て分または量に等しい。この場合、関連広告の再生時間、より具体的には欠けている関連広告の継続時間は、これらの広告のそれぞれに関連づけられた割り当て分の値または重みに応じて異なっていてもよい。
【００６８】
これらの広告再生保証はさらに、広告効果が容易に測定、確保、ひいては制御され得るので、要求される広告再生時間を短くすることが可能であってもよいことに最後に留意されたい。
【００６９】
まとめると、本方法は主として、すべての利用可能なチャンネルの個々の番組ごとに広告再生のすべての必要な割り当て分を集める。したがって、システムは、あるユーザによって閲覧されているすべての番組または番組の部分からの割り当て分要求を蓄積し、広告の対応する量が、各チャンネル全体でのすべての番組の広告再生の資金提供を確実に得るために再生されていることを保証する。これが必要とされるのは、特に、現在のデジタルＴＶ閲覧体験において、広告再生制御を個々のユーザに関連させ、各チャンネル全体にわたって包括的に広告再生を処理する必要があるためである。
【００７０】
最後に注目されたいのは、本発明の実施形態は機能ブロックに関して前述されていることである。これらの上で述べたブロックの機能的説明から、これらのブロックの実施形態がよく知られている電子部品でどのように製造され得るかは、電子装置を設計する当業者には明らかであろう。したがって機能ブロックの内容の詳細なアーキテクチャは示されていない。
【００７１】
本発明の原理は、特定の装置とともにここまで記載されてきたが、この説明は単に一例としてなされており、添付の特許請求の範囲において規定される本発明の範囲を限定するものでなはいことが明らかに理解されよう。
【図１】
2015516737.tif 000003
【国際調査報告】
2015516737.tif 000004